(57)【特許請求の範囲】
【請求項１】
第１の面に個別情報を印字する印字領域を有し、第２の面に接着層を形成した同一形状の帳票片を用紙搬送方向に複数枚連接し、前記各帳票片の少なくとも一辺の近傍に１以上の開口部を形成した連続帳票の使用方法であって、
前記複数枚の帳票片の各印字領域に個別情報を印字する印字工程と、
前記複数枚の帳票片を交互に反対方向に折り返して加圧することにより、第１の帳票片の前記接着層を、前記第１の帳票片と隣接して前記第１の帳票片と前記第２の面同士が対向する第２の帳票片の前記開口部を介して、前記第２の帳票片と隣接する第３の帳票片の前記第１の面に接着する接着工程とを備え、
前記複数枚の前記帳票片を任意の折り畳み枚数で封止する
ことを特徴とする連続帳票の使用方法。
【請求項２】
第１の面に再剥離可能に形成した粘着層と個別情報を印字する印字領域とを有し、第２の面に接着層を形成した同一形状の帳票片を用紙搬送方向に複数枚連接し、前記各帳票片の少なくとも一辺の近傍に１以上の開口部を形成した連続帳票の使用方法であって、
前記複数枚の帳票片の各印字領域に個別情報を印字する印字工程と、
前記複数枚の帳票片を交互に反対方向に折り返して加圧することにより、対向する前記第１の面の前記粘着層同士を粘着するとともに、第１の帳票片の前記接着層を、前記第１の帳票片と隣接して前記第１の帳票片と前記第２の面同士が対向する第２の帳票片の前記開口部を介して、前記第２の帳票片と隣接する第３の帳票片の前記第１の面に接着する接着工程とを備え、
前記複数枚の前記帳票片を任意の折り畳み枚数で封止する
ことを特徴とする連続帳票の使用方法。
【請求項３】
対向する前記第２の面の前記接着層同士を接着することにより、前記第２の面同士を再剥離不能に接着する
ことを特徴とする請求項１または２に記載の連続帳票の使用方法。
【発明の詳細な説明】
【０００１】
【産業上の利用分野】
本発明は、一時的に粘着または接着を必要とする親展葉書や封筒等のメールフォームに用いて好適な連続帳票の使用方法に関するものである。
【０００２】
【従来の技術】
図７は、従来の連続帳票を適用した封筒の一例の構成を示す展開図である。図７において、（ａ）は、表面（印字面）側を示し、（ｂ）は、裏面側を示す。
図７に示すように、封筒１は、所定形状の３枚の帳票片２〜４から構成されている。これらの帳票片２〜４は連接されており、帳票片２と３の間および帳票片３と４の間には、それぞれ折り返し，さらには裁断することができるミシン目５および６が形成されている。また、（ａ）に示すように、帳票片２の印字面側には、例えば宛名が印字される印字領域２ｄが形成されており、同様に、帳票片３，４の印字面側には、それぞれ各顧客ごとの親展情報等が印字される印字領域３ｄ，４ｄが形成されている（一般的には、印字領域２ｄ〜４ｄには、予め共通情報等が印刷されている。）。
【０００３】
また、帳票片２〜４には、ミシン目２ａ〜４ａ、および２ｂ〜４ｂが、それぞれ印字領域２ｄ，３ｄ，４ｄをはさんで略平行に配置され、かつ、ミシン目５，６と略直交するように配置されている。さらに、帳票片２，３には、それぞれミシン目２ｃ，３ｃが、ミシン目５をはさんでその近傍に略平行に配置され、かつ、ミシン目２ａ，３ａ、および２ｂ，３ｂと略直交するように配置されている。
【０００４】
さらにまた、（ａ）に示すように、帳票片３，４には、それぞれ接着層３ｅ，４ｅが形成されている。これらの接着層３ｅ，４ｅは、それぞれ印字領域３ｄ，４ｄの周縁部に帯状に形成されている（図中、接着層３ｅ，４ｅの形成領域を斜線部で示す。）。接着層３ｅと４ｅは、ミシン目６が折り返されて帳票片３と４が積層されたときに対向するように配置されている。
【０００５】
（ｂ）に示すように、帳票片２〜４の印字面の裏面側には、それぞれ印刷領域２ｇ〜４ｇが形成されている。印刷領域２ｇ〜４ｇには、何も印刷されなくても良いが、一般的には顧客に対する共通情報等が予め印刷されている。また、帳票片２，３の裏面側には、それぞれ接着層２ｆ，３ｆが、それぞれ印字領域２ｇ，３ｇの周縁部に帯状に形成されている（図中、接着層２ｆ，３ｆの形成領域を斜線部で示す。）。接着層２ｆと３ｆは、ミシン目５が折り返されて帳票片２と３が積層されたときに対向するように配置されている。
【０００６】
図８は、図７の封筒１が折り返されたときの様子を示す側面図である。封筒１には、各顧客ごとの宛名や親展情報等がプリンタ（図示せず）により印字領域２ｄ〜４ｄに片面印字され、印字された後に、ミシン目５と６とがそれぞれ反対方向に折り返される。図８に示すように、接着層２ｆと３ｆとが重なるように折り返され、また、接着層３ｅと４ｅとが重なるように折り返される。この状態から封筒１が加圧されると、接着層２ｆと３ｆとが、再剥離が不能に接着される。さらに、接着層３ｅと４ｅとが、再剥離が不能に接着される。このように、連続帳票から形成された封筒１は、従来の封筒のような封入封緘作業を削減することができる。
【０００７】
図９は、上述のようにして、帳票片２〜４が折りたたまれて形成された封筒１を示す平面図である。図９の封筒１は、ミシン目２ａ〜２ｃが裁断されることにより、開封される。すなわち、ミシン目２ａが裁断されることにより、同時にミシン目３ａ，４ａも裁断される。同様に、ミシン目２ｂが裁断されることにより、同時にミシン目３ｂ，４ｂも裁断される。さらに、ミシン目２ｃが裁断されることにより、同時にミシン目３ｃ，４ｃも裁断される。
【０００８】
図１０は、このようにして、ミシン目が裁断されたときの様子を示す斜視図である。図１０に示すように、帳票片２と３は、接着層２ｆ，３ｆの一部により接着されており、帳票片３と４は、接着層３ｅ，４ｅの一部により接着されている。これにより、封筒１は、共通情報が印刷された印刷領域２ｇ，３ｇ、および親展情報等が印字された印字領域３ｄ，４ｄが見えるようになる。
【０００９】
図１１は、従来の連続帳票を適用した親展葉書の一例の構成を示す展開図である。図１１は、印字面側が見えるように図示している。図１１に示すように、親展葉書１０は、所定形状の３枚の帳票片１１〜１３から構成されている。これらの帳票片１１〜１３は連接されており、帳票片１１と１２の間および帳票片１２と１３の間には、それぞれ折り返すことができる折り返し部１４，１５が形成されている。
【００１０】
また、帳票片１１の印字面側には、例えば宛名が印字される印字領域１１ａが形成されており、同様に、帳票片１２，１３の印字面側には、それぞれ各顧客ごとの親展情報等が印字される印字領域１２ａ，１３ａが形成されている（一般的には、印字領域１１ａ〜１３ａには、予め共通情報等が印刷されている。）。
【００１１】
さらに、帳票片１２，１３のほぼ全面には、粘着層１２ｂ，１３ｂが形成されている（図中、粘着層１２ｂ，１３ｂの形成範囲を斜線部で示す。）。粘着層１２ｂ，１３ｂは、粘着層１２ｂ，１３ｂ同士が粘着したときに、再剥離が可能に粘着される。また、図示しないが、帳票片１１および１２の図中裏面には、それぞれ接着層１１ｃ，１２ｃが形成されている。この接着層１１ｃ，１２ｃは、接着層１１ｃ，１２ｃ同士が接着したときに、再剥離が不能に接着される。
【００１２】
図１２は、図１１の親展葉書１０が折り返されたときの様子を示す側面図である。親展葉書１０には、各顧客ごとの宛名や親展情報等がプリンタ（図示せず）により印字領域１１ａ〜１３ａに片面印字され、印字された後に、折り返し部１４と１５とがそれぞれ反対方向に折り返される。図１２に示すように、接着層１１ｃと１２ｃとが重なるように折り返され、また、粘着層１２ｂと１３ｂとが重なるように折り返される。この状態から親展葉書１０が加圧されると、接着層１１ｃと１２ｃとが再剥離が不能に接着される。さらに、粘着層１２ｂと１３ｂとが再剥離が可能に粘着される。
【００１３】
図１３は、上述のように形成された親展葉書１０の帳票片１２の粘着層１２ｂと帳票片１３の粘着層１３ｂとが再剥離されたときの様子を示す斜視図である。図１３に示すように、帳票片１２と１３とが再剥離されることにより、帳票片１２，１３の印字領域１２ａ，１３ａが見えるようになる。
【００１４】
【発明が解決しようとする課題】
しかし、上述した従来の連続帳票を適用した封筒１や親展葉書１０では、以下の課題があった。
封筒１では、印字面側に接着層３ｅ，４ｅを形成しているので、印字領域２ｄ〜４ｄに印字するときにプリンタに封筒１が搬送されると、搬送時に搬送面等から受ける種々の負荷により接着層３ｅ，４ｅの接着剤が剥脱することがあり、この接着剤が搬送面や搬送用ローラ等に付着し、印字面を汚損したり、搬送不良（用紙ジャム）が発生する場合があるという問題があった。
【００１５】
この問題を解決するため、印字領域２ｄ〜４ｄへの印字後に印字面に接着層３ｅ，４ｅを形成する方法等が考えられるが、この方法では、新たに接着層３ｅ，４ｅを形成する工程が増加し、コストが高くなるという問題があった。
【００１６】
また、親展葉書１０では、粘着層１２ｂ，１３ｂの粘着力は、封筒１の接着層３ｅ，４ｅの接着力と比較して弱いので、封筒１のような印字面の汚損等の問題はほとんど発生しない。しかし、粘着層１２ｂ，１３ｂによる粘着では、粘着面の粘着強度が不十分な場合があった。従って、郵送の途中等で親展葉書１０に予想以上の負荷が作用すると、事前に粘着面が再剥離してしまう（帳票片１２と１３とが剥離してしまう）可能性があり、帳票片の密着強度の信頼性に欠けるという問題があった。
【００１７】
本発明は、上述のような課題を解消するためになされたものであって、印字面側には接着層を形成せずに、一時的に所定の帳票片を密着することができる連続帳票の使用方法を提供し、さらには、従来の粘着層を用いて帳票片を粘着したときの密着強度の向上を図ることを目的とする。
【００１８】
【課題を解決するための手段】
上述の目的を達成するために、本発明による連続帳票の使用方法の第１の解決手段は、第１の面に個別情報を印字する印字領域を有し、第２の面に接着層を形成した同一形状の帳票片を用紙搬送方向に複数枚連接し、前記各帳票片の少なくとも一辺の近傍に１以上の開口部を形成した連続帳票の使用方法であって、前記複数枚の帳票片の各印字領域に個別情報を印字する印字工程と、前記複数枚の帳票片を交互に反対方向に折り返して加圧することにより、第１の帳票片の前記接着層を、前記第１の帳票片と隣接して前記第１の帳票片と前記第２の面同士が対向する第２の帳票片の前記開口部を介して、前記第２の帳票片と隣接する第３の帳票片の前記第１の面に接着する接着工程とを備え、前記複数枚の前記帳票片を任意の折り畳み枚数で封止することを特徴とする。
【００１９】
連続帳票の使用方法の第２の解決手段は、第１の面に再剥離可能に形成した粘着層と個別情報を印字する印字領域とを有し、第２の面に接着層を形成した同一形状の帳票片を用紙搬送方向に複数枚連接し、前記各帳票片の少なくとも一辺の近傍に１以上の開口部を形成した連続帳票の使用方法であって、前記複数枚の帳票片の各印字領域に個別情報を印字する印字工程と、前記複数枚の帳票片を交互に反対方向に折り返して加圧することにより、対向する前記第１の面の前記粘着層同士を粘着するとともに、第１の帳票片の前記接着層を、前記第１の帳票片と隣接して前記第１の帳票片と前記第２の面同士が対向する第２の帳票片の前記開口部を介して、前記第２の帳票片と隣接する第３の帳票片の前記第１の面に接着する接着工程とを備え、前記複数枚の前記帳票片を任意の折り畳み枚数で封止することを特徴とする。
【００２０】
連続帳票の使用方法の第３の解決手段は、対向する前記第２の面の前記接着層同士を接着することにより、前記第２の面同士を再剥離不能に接着することを特徴とする。
【００２１】
【作用】
連続帳票の第１の解決手段においては、印刷領域を有する面には、接着層が形成されず、印刷領域を有する面の裏面にのみ接着層が形成される。折り返したときには、印刷領域を有する面は、所定の帳票片の裏面に形成された接着層により接着される。従って、印刷面側には接着層を形成せずに、複数の帳票片を封止することができる。
【００２２】
連続帳票の第２の解決手段においては、前記第１の解決手段の連続帳票の印刷面側に、粘着層が形成される。折り返したときには、印刷面側に形成された粘着層同士が粘着されるとともに、前記第１の解決手段による接着がなされる。従って、従来の粘着層を用いて帳票片を粘着したときの密着強度の向上を図ることができる。
【００２３】
連続帳票の第３の解決手段においては、前記第１または第２の解決手段の帳票片に形成された所定の接着層同士が接着される。従って、この連続帳票から親展葉書や封筒のようなメールフォームを形成することができる。
【００２４】
【実施例】
以下、図面等を参照して、本発明による連続帳票の一実施例について説明する。図１は、本発明による連続帳票の第１の実施例の構成を示す展開図である。図１に示すように、連続帳票２０は、所定形状の帳票片２１，２２，２３，・・（以下、「帳票片２１等」と称する。）から構成されている。これらの各帳票片２１等は、連接されており、それぞれ宛名や親展情報等が印字される印刷領域２１ｃ，２２ｃ，・・（以下、「印刷領域２１ｃ等」と称する。）を有している（印刷領域２１ｃ等には、予め共通情報等が印刷されていても良い。）。さらにまた、各帳票片２１等の間には、それぞれ折り返し、さらには裁断することができるミシン目３１，３２，・・（以下、「ミシン目３１等」と称する。）が形成されている。
【００２５】
各帳票片２１等には、その両端部（図中左右方向）にミシン目２１ａ，２２ａ，・・（以下、「ミシン目２１ａ等」と称する。）と、ミシン目２１ｂ，２２ｂ，・・（以下、「ミシン目２１ｂ等」と称する。）とが印刷領域２１ｃ等をはさんで略平行に配置され、かつ、ミシン目３１等と略直交するように配置されている。ミシン目２１ａ等、およびミシン目２１ｂ等は、それぞれ上述したミシン目３１等と同様に形成されており、各帳票片２１等上に連続して形成されている。
【００２６】
これらのミシン目２１ａ等、および２１ｂ等の外側には、それぞれ帳票片２１等を開口させたスプロケット孔４１，４２が形成されている。スプロケット孔４１，４２は、帳票片２１等上に連続して同一の間隔で形成されている。
【００２７】
また、各帳票片２１等には、略半円状に帳票片２１等の一部を開口させた開口部２１ｄおよび２１ｅ，２２ｄおよび２２ｅ，・・（以下、「開口部２１ｄ等、２１ｅ等」と称する。）が形成されている（図中、開口部２１ｄ等，２１ｅ等を斜線部で示す。）。開口部２１ｄ等および２１ｅ等は、各帳票片２１等の図中上辺の近傍に形成され、かつ、印刷領域２１ｃ等の範囲内に入らないように形成されている。実施例においては、開口部２１ｄ等，２１ｅ等は、帳票片２１等の図中上部の１辺に２つ形成されているが、いくつ形成しても良い。
【００２８】
また、帳票片２１等の印刷領域２１ｃ等が形成されている面と反対の面（図中裏面）には、図示しない接着層２１ｆ，２２ｆ，・・（以下、「接着層２１ｆ等」と称する。）が形成されている。接着層２１ｆ等は、それぞれ帳票片２１等の裏面のほぼ全面に形成されている。この接着層２１ｆ等を構成する接着剤は、感圧接着剤であり、天然ゴム（ＮＲ）や、スチレン−ブタジエンゴム（ＳＢＲ）を主成分としている。
【００２９】
これらの接着層２１ｆ等は、接着層２１ｆ等同士の接着では、強接着（再剥離不能に接着）されるが、一方の面にのみ接着層２１ｆ等が形成され、他方の面に接着層２１ｆ等が形成されていないときの接着では、弱接着（再剥離可能に接着）される。
【００３０】
次に、連続帳票２０から形成されるメールフォームについて説明する。
先ず、帳票片２１等の印刷領域２１ｃ等に、宛名や親展情報等の個別情報がプリンタ（図示せず）により片面印字される。このときには、帳票片２１等の両端部に形成されたスプロケット孔４１，４２がプリンタの用紙搬送部と係合することにより、帳票片２１等が順次搬送され、印字される。
【００３１】
所定の印字が終了すると、帳票片２１等のミシン目３１等で所定数の帳票片に裁断される。図２は、一実施例として図１の連続帳票２０から一連の帳票片２１〜２４が裁断され、ミシン目３１〜３３が折り返されたときの様子を示す側面図である（すなわち、図２に示す実施例においては、４枚の帳票片２１〜２４に一人の個別情報が印字された例である。）。なお、帳票片２１等の両端部のスプロケット孔４１，４２は、そのまま残しておいても良いが、必要に応じてミシン目２１ａ〜２４ａ、および２１ｂ〜２４ｂから裁断して切り離しても良い。
【００３２】
図２に示すように、帳票片２１〜２４のミシン目３１〜３３は、それぞれ反対方向に折り返される。図２に示すように、接着層２１ｆと２２ｆとが重なるようにミシン目３１が折り返され、同様に、接着層２３ｆと２４ｆとが重なるようにミシン目３３が折り返される。
【００３３】
このように折り返された帳票片２１〜２４が加圧されると、接着層２１ｆと２２ｆとが再剥離が不能に強接着される。同様に、接着層２３ｆと２４ｆとが再剥離が不能に強接着される。すなわち、帳票片２１と２２の裏面同士、および帳票片２３と２４の裏面同士が強接着される。
【００３４】
さらに、帳票片２１〜２４が加圧されることにより、帳票片２３の図中２３ｈ，２３ｉ部は、帳票片２２に形成されている開口部２２ｄ，２２ｅを介して、帳票片２１の接着層２１ｆの図２中Ａ部に接着される。さらにまた、帳票片２２の図中２２ｈ，２２ｉ部は、帳票片２３に形成されている開口部２３ｄ，２３ｅを介して、帳票片２４の接着層２４ｆの図中Ｂ部に接着される。これらの接着は、一方の面のみが接着層であるので、再剥離が可能に弱接着される。これにより、帳票片２２と２３の印刷面側同士が密着され、メールフォームが形成される。なお、これらの帳票片２３の２３ｈ，２３ｉ部、および帳票片２２ｈ，２２ｉ部は、それぞれ印刷領域２３ｃ，２２ｃ（図１）以外の領域である。
【００３５】
図２の実施例においては、４枚の帳票片２１〜２４によりメールフォームを形成したが、何枚の帳票片からメールフォームを形成しても、上述と同様の接着により、メールフォームが形成される。すなわち、任意の第１の帳票片の接着層は、この第１の帳票片と隣接して第１の帳票片と裏面同士が対向する第２の帳票片の開口部を介して、この第２の帳票片と隣接する第３の帳票片の印刷面側を弱接着する。さらに、折り返したときに裏面同士が対向する帳票片の接着層同士が接着されることにより、裏面同士が強接着される。
【００３６】
図３は、図２のメールフォームが、再剥離されたときの様子を示す斜視図である。図３に示すように、帳票片２１と２２、および帳票片２３と２４の裏面同士は、それぞれ強接着されているので、再剥離されない。しかし、接着層２１ｆのＡ部（図２）により弱接着された帳票片２３の２３ｈ，２３ｉ部、および接着層２４ｆのＢ部（図２）により弱接着された帳票片２２の２２ｈ，２２ｉ部は、再剥離することができる。従って、図３に示すように、帳票片２２と２３とが再剥離されることにより、帳票片２２，２３の印刷領域２２ｃ，２３ｃが見えるようになる。
【００３７】
図４は、本発明による連続帳票の第２の実施例の構成を示す展開図である。図４に示す連続帳票５０は、図１で示した連続帳票２０と開口部のみが異なる例を示している。連続帳票５０には、図１の連続帳票２０と同様に、帳票片２１等にそれぞれ開口部２１ｄ等および２１ｅ等が形成されている。さらに、帳票片２１等の図中左右側には、開口部２１ｍ，２２ｍ，・・（以下、「開口部２１ｍ等」と称する。）および開口部２１ｎ，２２ｎ，・・（以下、「開口部２１ｎ等」と称する。）が形成されている（図中、開口部２１ｍ等，２１ｎ等を斜線部で示す。）。
【００３８】
これらの開口部２１ｍ等および２１ｎ等は、各帳票片２１等の図中左右のミシン目２１ａ等および２１ｂ等の近傍に形成され、かつ、印刷領域２１ｃ等の範囲内に入らないように形成されている。図４の実施例においては、開口部２１ｍ等，２１ｎ等は、帳票片２１等の図中左右側に１つずつ形成されているが、いくつ形成しても良い。
【００３９】
図４の連続帳票５０は、上述した図１の連続帳票２０と同様に、メールフォームを形成することができる。ただし、第１の帳票片の裏面に形成されている接着層は、第１の帳票片と隣接して第１の帳票片と裏面同士が対向する第２の帳票片に形成されたすべての開口部（図４においては４つ）を介して、第２の帳票片と隣接する第３の帳票片の印刷面側を弱接着する。従って、図１の連続帳票２０から形成されるメールフォームより弱接着時の接着力を向上させることができる。
【００４０】
図５は、本発明による連続帳票の第３の実施例を適用したメールフォーム６０の構成を示す側面図である。図５に示すメールフォーム６０は、従来の連続帳票を適用した親展葉書１０の帳票片１２に、本発明の第１の実施例で示した開口部２２ｄおよび２２ｅが設けられている例である。このように形成することにより、メールフォーム６０が加圧されたときには、粘着層１２ｂと１３ｂとが粘着するとともに、接着層１１ｃの図中Ｃ部が、帳票片１２の開口部２２ｄおよび２２ｅを介して帳票片１３の粘着層１３ｂの１３ｈ，１３ｉ部を接着する（この場合の接着層１１ｃと粘着層１３ｂとの接着は弱接着であり、再剥離可能であるが、粘着層１２ｂと１３ｂとの粘着力よりも強い。）。
【００４１】
図６は、図５のメールフォームが再剥離されたときの様子を示す斜視図である。図６に示すように、粘着された粘着層１２ｂと１３ｂとが再剥離され、さらに、弱接着された接着層１１ｃのＣ部（図５）と粘着層１３ｂの１３ｈ，１３ｉ部とが再剥離され、帳票片１２，１３の印字領域１２ａ，１３ａが見えるようになる。メールフォーム６０は、従来の親展葉書１０と比較して、さらに弱接着（粘着層同士の粘着力よりも強い。）されている部分が付加されているので、帳票片１２と１３との密着強度を向上させ、帳票片１２と１３とが事前に再剥離してしまうことを抑制することができる。
【００４２】
以上、本発明による連続帳票の実施例について説明したが、本発明による連続帳票は、上述した実施例に限定されることなく、本発明の要旨を逸脱しない範囲内で種々の変形が可能である。例えば、接着層２１ｆ等の接着剤の成分は、メールフォームを形成したときの弱接着時の強度を満足するものであれば、いかなる接着剤を用いても良い。
【００４３】
実施例では、接着層２１ｆ等は、帳票片２１等の裏面のほぼ全面に形成したが、これに限定されることなく、裏面の一定の範囲にのみ形成しても良い。例えば、図２において、接着層２１ｆ等を開口部２１ｄ等，２１ｅ等と対応する範囲のみ（図中Ａ，Ｂ部）に形成して、帳票片２１等を折り返したときに、接着層２１ｆ等は、帳票片２１等を弱接着するのみで、接着層２１ｆ等同士が接着されないようにしても良い。このように強接着がされないように形成した帳票片２１等を、折り返して加圧することにより、帳票片２１等は一時的に封止されるが、再剥離することにより、再度帳票片２１等を展開することができる。すなわち、帳票片２１等の裏面も、この再剥離により見えるようになる（このときに、各帳票片２１等の裏面には、予め共通情報等を印刷しておくこともできる。）。
【００４４】
開口部２１ｄ等，２１ｅ等，さらには２１ｍ等，２１ｎ等の形成位置は、印刷領域２１ｃ等を妨げない範囲で形成すれば、どこに形成しても良い。さらにまた、開口部２１ｄ等，２１ｅ等，さらには２１ｍ等，２１ｎ等の形成数、および形状は、上述したように、第１の帳票片の接着層を第３の帳票片の印刷面側に接着する機能を満足するものであればよい。
【００４５】
スプロケット孔４１，４２は、プリンタがスプロケット孔４１，４２なしで連続帳票を搬送することができるものであれば、形成されなくても良い。
【００４６】
【発明の効果】
以上説明したように請求項１に記載の連続帳票によれば、印刷領域を有する面には、接着層が形成されず、印刷領域を有する面の裏面にのみ接着層が形成される。折り返したときには、印刷領域を有する面は、所定の帳票片の裏面に形成された接着層により接着される。従って、印刷面側には接着層を形成せずに、複数の帳票片を封止することができる。
【００４７】
請求項２に記載の連続帳票によれば、請求項１の連続帳票の印刷面側に、粘着層が形成される。折り返したときには、印刷面側に形成された粘着層同士が粘着されるとともに、請求項１に記載の接着がなされる。従って、従来の粘着層を用いて帳票片を粘着したときの帳票片の密着強度の向上を図ることができる。
【００４８】
請求項３に記載の連続帳票によれば、請求項１または２に記載の帳票片に形成された所定の接着層同士が接着される。従って、この連続帳票から親展葉書や封筒のようなメールフォームを形成することができる。
【図面の簡単な説明】
【図１】本発明による連続帳票の第１の実施例の構成を示す展開図である。
【図２】図１の連続帳票が折り返されたときの様子を示す側面図である。
【図３】図２のメールフォームが再剥離されたときの様子を示す斜視図である。
【図４】本発明による連続帳票の第２の実施例の構成を示す展開図である。
【図５】本発明による連続帳票の第３の実施例を適用したメールフォームの構成を示す側面図である。
【図６】図５のメールフォームが再剥離されたときの様子を示す斜視図である。
【図７】従来の連続帳票を適用した封筒の一例の構成を示す展開図である。
【図８】図７の封筒１が折り返されたときの様子を示す側面図である。
【図９】図８の封筒１を示す平面図である。
【図１０】図９の封筒１のミシン目が裁断されたときの様子を示す斜視図である。
【図１１】従来の連続帳票を適用した親展葉書の一例の構成を示す展開図である。
【図１２】図１１の親展葉書１０が折り返されたときの様子を示す側面図である。
【図１３】図１２の親展葉書１０が再剥離されたときの様子を示す斜視図である。
【符号の説明】
２０  連続帳票
２１  帳票片
２１ａ，２１ｂ  ミシン目
２１ｃ  印刷領域
２１ｄ，２１ｅ  開口部
２１ｆ  接着層
３１，３２，３３  折り返し部（ミシン目）
４１，４２  スプロケット孔
【図１】
0003584406.tif 000002
【図２】
0003584406.tif 000003
【図３】
0003584406.tif 000004
【図４】
0003584406.tif 000005
【図５】
0003584406.tif 000006
【図６】
0003584406.tif 000007
【図７】
0003584406.tif 000008
【図８】
0003584406.tif 000009
【図９】
0003584406.tif 000010
【図１０】
0003584406.tif 000011
【図１１】
0003584406.tif 000012
【図１２】
0003584406.tif 000013
【図１３】
0003584406.tif 000014